【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
絞りを介して入射する光を撮像信号に変換して得られた画像を周期的に出力する撮像手段と、
前記絞りの開口状態を周期的に取得する取得手段と、
前記画像の焦点状態を当該画像の露光時の前記絞りの開口状態に基づいて正規化した値に基づいて、前記画像の焦点状態を表す第１の指標を生成する生成手段と、
前記画像と、当該画像の焦点状態を示す指標とを重畳して表示手段に表示する制御手段と、
前記表示手段に表示された指標を、第２の指標として記憶する記憶手段と、
前記画像の露光時と、前記生成手段により前記第１の指標を生成する際との少なくともいずれかにおける前記絞りの開口状態が、変動中でない場合に前記第１の指標を選択し、変動中の場合に前記第２の指標を選択する選択手段と、を有し、
前記制御手段は、前記選択手段により選択された指標を表示することを特徴とする撮像装置。
【請求項２】
前記選択手段は、前記画像の露光時の前記絞りの開口状態と、前記生成手段により前記第１の指標を生成する際に取得された前記絞りの開口状態との差が、予め決められた閾値未満である場合に前記第１の指標を選択し、前記閾値以上である場合に前記第２の指標を選択することを特徴とする請求項１に記載の撮像装置。
【請求項３】
前記選択手段は、前記画像の露光時の前記絞りの開口状態と、前記生成手段により前記第１の指標を生成する際に取得された前記絞りの開口状態とが一致する場合に前記第１の指標を選択し、一致しない場合に前記第２の指標を選択することを特徴とする請求項１に記載の撮像装置。
【請求項４】
前記絞りの絞り値を指定する指定手段を更に有し、
前記選択手段は、前記画像の露光時の前記絞りの開口状態が変化し始めてから、前記絞り値に達するまでの時間と、前記画像を露光してから前記生成手段により前記第１の指標を生成するまでに要する時間とを加算した期間に前記第２の指標を選択し、前記期間を除く期間に前記第１の指標を選択することを特徴とする請求項１に記載の撮像装置。
【請求項５】
前記取得手段は、前記画像の露光の周期と同じ周期で、前記絞りの開口状態を取得することを特徴とする請求項１乃至４のいずれか１項に記載の撮像装置。
【請求項６】
前記取得手段は、前記画像の露光開始時に、前記絞りの開口状態を取得することを特徴とする請求項５に記載の撮像装置。
【請求項７】
前記生成手段は、前記絞りの開口状態に対応する許容錯乱円の大きさに基づいて、焦点状態を正規化することを特徴とする請求項１乃至６のいずれか１項に記載の撮像装置。
【請求項８】
前記指標は、焦点状態を表すための、弧に沿って動く２つの表示パーツを含み、前記２つの表示パーツは、前記絞りの開口状態が同じ場合、前記焦点状態が合焦状態から離れるほど、前記２つの表示パーツが成す角度が大きくなることを特徴とする請求項７に記載の撮像装置。
【請求項９】
前記角度は、焦点状態が同じ場合、前記許容錯乱円が大きくなるほど、小さくなることを特徴とする請求項８に記載の撮像装置。
【請求項１０】
前記指標は、焦点状態を表すための２つの表示パーツを含み、前記２つの表示パーツは、前記絞りの開口状態が同じ場合、前記焦点状態が合焦状態から離れるほど、前記２つの表示パーツ間の距離が長くなることを特徴とする請求項７に記載の撮像装置。
【請求項１１】
前記距離は、焦点状態が同じ場合、前記許容錯乱円が大きくなるほど、短くなることを特徴とする請求項１０に記載の撮像装置。
【請求項１２】
撮像手段が、絞りを介して入射する光を撮像信号に変換して得られた画像を周期的に出力する撮像工程と、
取得手段が、前記絞りの開口状態を周期的に取得する取得工程と、
生成手段が、前記画像の焦点状態を当該画像の露光時の前記絞りの開口状態に基づいて正規化した値に基づいて、前記画像の焦点状態を表す第１の指標を生成する生成工程と、
制御手段が、前記画像と、当該画像の焦点状態を示す指標とを重畳して表示手段に表示する制御工程と、
記憶手段が、前記表示手段に表示された指標を、第２の指標として記憶する記憶工程と、
選択手段が、前記画像の露光時と、前記生成手段により前記第１の指標を生成する際との少なくともいずれかにおける前記絞りの開口状態が、変動中でない場合に前記第１の指標を選択し、変動中の場合に前記第２の指標を選択する選択工程と、を有し、
前記制御工程では、前記選択工程で選択された指標を表示することを特徴とする撮像装置の制御方法。
【手続補正２】
【補正対象書類名】明細書
【補正対象項目名】００３９
【補正方法】変更
【補正の内容】
【００３９】
Ｓ５０７では、第１の表示形態、すなわち被写体が合焦状態である場合の指標表示形態を選択する。この場合の指標と枠の表示例は、図３（ａ）に示すものである。Ｓ５０８では、第２の表示形態、すなわち被写体が前ピン状態である場合の指標表示形態を選択する。この場合の指標と枠の表示例は、図３（ｂ）に示すものである。Ｓ５０９では、第３の表示形態、すなわち被写体が後ピン状態である場合の指標表示形態を選択する。この指標と枠の表示例は、図３（ｃ）に示すものである。Ｓ５１０では、第４の表示形態、すなわち被写体が大ボケ状態である場合の指標表示形態を選択する。この指標と枠の表示例は図３（ｄ）に示すものである。
【手続補正３】
【補正対象書類名】明細書
【補正対象項目名】００４１
【補正方法】変更
【補正の内容】
【００４１】
＜第１の実施形態＞
次に、図６を参照して、第１の実施形態における、絞り１０２の絞り込みを行う場合の、露光、読み出し、デフォーカス量演算、及びフォーカスガイド表示処理を行うタイミング、及び各タイミングにおける絞り値について説明する。絞り１０２は、例えば、レンズ操作部１０７やカメラ操作部２０８に搭載された絞り込みボタンを操作したり、ＵＩで直接絞り値を指定することで変化させることができる。その他、カメラ信号処理部２０３における測光結果に基づいて、自動的に絞り値を変更してもよい。ここで、絞り込みボタンとは、撮像信号の記録時に実際に得られる画像の背景のボケ具合などを事前に確認するためのボタンである。通常、ライブビュー表示中のピント合わせは、絞り開放状態で行われるため、撮像信号の記録時の絞り値とは異なる場合がある。このときユーザのボタンを押す操作で、設定されている絞り数値まで絞り１０２が絞り込まれ、被写界深度の変化による画像のボケ具合の変化を確認できる。絞り込みボタンは、押している間に撮像信号の記録時の絞り値となり、絞り込みボタンを解除すると絞り開放状態に戻る。なお、図６に示す例では、フレーム４を露光している時に、絞り値をＦ２からＦ１６に変更する指示をカメラ本体２０からレンズユニット１０に対して行い、フレーム４〜６の露光期間中、絞りの開口状態が変化している場合について説明する。
【手続補正４】
【補正対象書類名】明細書
【補正対象項目名】００４３
【補正方法】変更
【補正の内容】
【００４３】
また、図６（ａ）において、実線６０１はメカ機構上の絞り値であり、絞り駆動部１０４により変化する絞り１０２の実際の開口状態を示している。破線６０２はレンズ通信上の絞り値であり、各フレームの開始時における絞り１０２の実際の開口状態を示している。絞り値６０２は、垂直同期信号ＶＤに同期して、レンズユニット１０からカメラ本体２０に通知されるもので、Ｓ４０１でカメラ制御部２０７のメモリに記憶される絞り値である。なお、第１の実施形態では、絞り駆動部１０４の制御値を、絞り値６０２として取得する。また、ここでは垂直同期信号に同期して周期的に通知されるものとするが、通知のタイミングはこれに限られるものでは無く、例えば、カメラ制御部２０７からのリクエストに応じて行っても良い。ただし、各垂直同期期間に少なくとも１回は絞り値６０２を通知するように制御する。一点鎖線６０３はフォーカスガイド表示処理時に用いられる絞り値を示しており、レンズ通信上の絞り値６０２がフレームデータと一緒に「露光」から「フォーカスガイド表示処理」まで伝搬されたものである。すなわち、任意のフレームの露光開始時に得られたレンズ通信上の絞り値６０２が、３垂直同期期間後に当該フレームに基づくフォーカスガイド表示処理を行う際に用いられる絞り値６０３となる。
【手続補正５】
【補正対象書類名】明細書
【補正対象項目名】００５１
【補正方法】変更
【補正の内容】
【００５１】
図７の制御を行わない場合、フォーカスガイド表示処理時、フォーカスガイドの指標角度が、絞り込み開始前（フレーム３まで）は図８（ａ）、絞り込み中（フレーム４〜６）は図８（ｂ）、絞り込み終了後（フレーム７以降）は図８（ｃ）で表示される。このように、絞り込み開始前（図６中のＦ２）から絞り込み終了後（図６中のＦ１６）へ遷移する過程で、図８（ｂ）に示す様に指標角度が一旦小さくなり、表示が不安定になる。ここで、図７の制御を行わない場合に、図８（ｂ）に示す様な状態となる理由について、フレーム５を例にとって具体的に説明する。フレーム５の露光開始時の絞り値６０２がｆ１であった場合、フォーカスガイド表示処理においてフレーム５の処理を行う際に、絞り値６０３としてｆ１を用いて指標角度を算出することになる。しかしながらフレーム５の露光中は、絞り値がｆ１からｆ２まで大きく絞られていくため、許容錯乱円Ｆδが徐々に大きくなると共に、フォーカスレンズが動かされていなければ、デフォーカス量は小さくなっていく。そのため、ｆ１を用いて指標角度を算出すると、本来の角度よりも狭い角度となってしまう。
【手続補正６】
【補正対象書類名】明細書
【補正対象項目名】００５８
【補正方法】変更
【補正の内容】
【００５８】
Ｓ７０２では、今回決定した指標表示形態と指標角度を表示するものとして選択し、フォーカスガイド表示を更新する。一方、Ｓ７０３では、絞り込み対応時間がまだ経過していないので、メモリに保存されている指標表示形態と指標角度を表示するものとして選択し、前回使用した指標表示形態と指標角度を選択し、前回のフォーカスガイド表示を維持する。これにより、露光時における絞り１０２の開口状態の変動中と、フォーカス処理時における絞り１０２の開口状態の変動中は、同じフォーカスガイド表示が表示され続ける。
【手続補正７】
【補正対象書類名】図面
【補正対象項目名】図８
【補正方法】変更
【補正の内容】
【図８】
2020003725.tif 000001
【手続補正８】
【補正対象書類名】図面
【補正対象項目名】図９
【補正方法】変更
【補正の内容】
【図９】
2020003725.tif 000002